(57)【要約】【課題】  極力材料量を削減できる魚道構成用越流型隔壁を提供する。【解決手段】当該魚道構成用越流型隔壁３は、水路２上に、該水路２の両側壁５間に延びるようにして配置されるものである。このものは、下面９よりも上方部分が、延び方向一方側から他方側に向かうに従って、径方向外方に拡大するように設定され、その内部は空洞９１とされている。これにより、隔壁３の材料量の削減と、軽量化とを図る。【選択図】        図６
2005290788.tif 000002
【特許請求の範囲】
【請求項１】
水路の底面上に、該水路の両側壁間に延びるようにして配置され、下面が平坦面に形成され、前記下面よりも上方部分が、延び方向一方側から他方側に向かうに従って、径方向外方に拡大するように設定されている魚道構成用越流型隔壁であって、
内部が空洞とされている、
ことを特徴とする魚道構成用越流型隔壁。
【請求項２】
請求項１において、
前記空洞内に発泡樹脂が充填されている、
ことを特徴とする魚道構成用越流型隔壁。
【請求項３】
水路の底面上に、該水路の両側壁間に延びるようにして配置され、下面が平坦面に形成され、前記下面よりも上方部分が、延び方向一方側から他方側に向かうに従って、径方向外方に拡大するように設定されている魚道構成用越流型隔壁であって、
頂部が、設置時の想定水位よりも高くなる部分を有する延び方向領域において、該想定水位よりも余裕高さの範囲内の高い位置で略水平な面を形成している、
ことを特徴とする魚道構成用越流型隔壁。
【請求項４】
水路の底面上に、該水路の両側壁間に延びるようにして配置され、下面が平坦面に形成され、前記下面よりも上方部分が、延び方向一方側から他方側に向かうに従って、径方向外方に拡大するように設定されている魚道構成用越流型隔壁であって、
頂部から下方に向かうに従って幅方向外側に拡がる側面が、設置時の想定水位よりも高くなる部分を有する延び方向領域であって該想定水位よりも低い部分において、途中から、下面まで略垂直な面を形成するように設定されている、
ことを特徴とする魚道構成用越流型隔壁。
【請求項５】
請求項４において、
頂部が、設置時の想定水位よりも高くなる部分を有する延び方向領域において、該想定水位よりも余裕高さの範囲内の高い位置において略水平な面を形成している、
ことを特徴とする魚道構成用越流型隔壁。
【請求項６】
水路の底面上に、該水路の両側壁間に延びるようにして配置され、下面が平坦面に形成され、前記下面よりも上方部分が、延び方向一方側から他方側に向かうに従って、径方向外方に拡大するように設定されている魚道構成用越流型隔壁であって、
設置時に外部に露出する露出外周面に、複数の溝が形成されている、
ことを特徴とする魚道構成用越流型隔壁。
【請求項７】
請求項６において、
前記複数の溝が、前記露出外周面において、周方向全長に亘って延ばされている、
ことを特徴とする魚道構成用越流型隔壁。
【請求項８】
請求項６において、
前記複数の溝が、前記露出外周面に沿いつつ全体としての延び方向に延ばされている、
ことを特徴とする魚道構成用越流型隔壁。
【請求項９】
請求項６において、
前記複数の溝が、少なくとも前記露出外周面の上流側において、全体としての延び方向に対して傾斜されている、
ことを特徴とする魚道構成用越流型隔壁。
【請求項１０】
水路の底面上に、該水路の両側壁間に延びるようにして配置され、下面が平坦面に形成され、前記下面よりも上方部分が、延び方向一方側から他方側に向かうに従って、径方向外方に拡大するように設定されている魚道構成用越流型隔壁であって、
長尺な複数枚の板材を重ねて構成されている、
ことを特徴とする魚道構成用越流型隔壁。
【請求項１１】
請求項１０において、
前記複数枚の板材のうち、最上段の板材は、その上面が上方に凸となる円弧状に形成されていると共に、その肉厚が延び方向一方側から他方側に向かうに従って厚くなるように設定され、
前記複数枚の板材のうち、最上段の板材よりも下方側に配置される板材は、肉厚が一定とされている、
ことを特徴とする魚道構成用越流型隔壁。
【請求項１２】
請求項１０において、
前記各板材に、その延び方向両端部において、前記水路の両側壁内面に上下方向に延びるようにして形成される案内溝に対して摺動可能に嵌合する突部が形成されている、
ことを特徴とする魚道構成用越流型隔壁。
【請求項１３】
請求項１〜１２のいずれかにおいて、
外部に露出する露出外周面が、耐摩耗性被覆層で形成されている、
ことを特徴とする魚道構成用越流型隔壁。
【請求項１４】
請求項１〜１２のいずれかにおいて、
外部に露出する露出外周面に、多数の硬質部材が該露出外面から突出する状態で保持されている、
ことを特徴とする魚道構成用越流型隔壁。
【請求項１５】
底壁部とその底壁部の幅方向両側に設けられる一対の側壁部とを有する魚道構成用ブロック内に、該一対の側壁部間において魚道構成用越流型隔壁が配置される魚道構成用ユニットにおいて、
前記魚道構成用越流型隔壁が前記請求項１２に係る魚道構成用越流型隔壁とされ、
前記各側壁部内面に、上下方向に延びるようにして案内溝が形成されている、
ことを特徴とする魚道構成用ユニット。
【請求項１６】
底壁部とその底壁部の幅方向両側に設けられる一対の側壁部とを有する魚道構成用ブロック内に、該一対の側壁部間において魚道構成用越流型隔壁が配置される魚道構成用ユニットにおいて、
前記一対の側壁部間に、魚道構成用越流型隔壁として、前記請求項１〜１４のいずれかの魚道構成用越流型隔壁の複数が、直列状態をもって配置されている、
ことを特徴とする魚道構成用ユニット。
【請求項１７】
水路の底面上に、該水路の両側壁間に延びるようにして配置され、下面が平坦面に形成され、前記下面よりも上方部分が、延び方向一方側から他方側に向かうに従って、径方向外方に拡大するように設定されている魚道構成用越流型隔壁であって、
頂部が、設置時の想定水位よりも高くなる部分を有する延び方向領域において、該想定水位よりも余裕高さの範囲内の高い位置で、高さを一定に維持しつつ円弧状に形成されている、
ことを特徴とする魚道構成用越流型隔壁。
【発明の詳細な説明】
【技術分野】
【０００１】
本発明は、魚道を形成するために用いられる魚道構成用越流型隔壁及び魚道構成ユニットに関する。
【背景技術】
【０００２】
近時、「魚が登りやすい川づくり」が施策として推進されており、この推進の動きを受けて種々の魚道が提案されている。例えば特許文献１には、水路構成用ブロックをつないで水路を形成する一方、その水路内に魚道構成用の越流型隔壁を一定間隔毎に配置したものが示されている。しかし、この特許文献１に係る越流型隔壁は、細幅とされて、そのもの自体の設置安定性がよくなく、その問題点を解消すべく、その越流型隔壁を水路構成用ブロック間に水路を横断するようにして挟み込むこととされている。
【０００３】
そこで、本発明者は、このような特許文献１の事情に鑑み、魚道構成用越流型隔壁として、下面が平坦面に形成され、その下面よりも上方部分が、延び方向一方側から他方側に向かうに従って、径方向外方に拡大するように設定したものを既に提案している。この魚道構成用越流型隔壁によれば、延び方向一方側から他方側に向かうに従って下面の面積が増大することになり、そのもの自体の設置安定性が増すことになる。
【０００４】
【特許文献１】特開平１１−３１５５２８号公報
【発明の開示】
【発明が解決しようとする課題】
【０００５】
しかし、前記魚道構成用越流型隔壁においては、延び方向一方側から他方側に向かうに従って、径方向外方に拡大することから、下面だけでなく、そのもの全体が三次元的に拡大することになり、魚道構成用越流型隔壁は大型化する傾向にある。このため、その大型化に伴い、使用材料量等の負担増加が新たな問題として発生している。
【０００６】
本発明は以上のような事情に鑑みてなされたもので、その第１の技術的課題は、極力少ない使用材料量をもって形成できる魚道構成用越流型隔壁を提供することにある。
第２の技術的課題は、上記魚道構成用越流型隔壁を用いた魚道構成用ユニットを提供することにある。
【課題を解決するための手段】
【０００７】
前記第１の技術的課題を達成するために本発明（請求項１に係る発明）にあっては、
水路の底面上に、該水路の両側壁間に延びるようにして配置され、下面が平坦面に形成され、前記下面よりも上方部分が、延び方向一方側から他方側に向かうに従って、径方向外方に拡大するように設定されている魚道構成用越流型隔壁であって、
内部が空洞とされている構成としてある。この請求項１の好ましい態様としては、請求項２、１３、１４に記載の通りとなる。
【０００８】
前記第１の技術的課題を達成するために本発明（請求項３に係る発明）にあっては、
水路の底面上に、該水路の両側壁間に延びるようにして配置され、下面が平坦面に形成され、前記下面よりも上方部分が、延び方向一方側から他方側に向かうに従って、径方向外方に拡大するように設定されている魚道構成用越流型隔壁であって、
頂部が、設置時の想定水位よりも高くなる部分を有する延び方向領域において、該想定水位よりも余裕高さの範囲内の高い位置で略水平な面を形成している構成としてある。この請求項３の好ましい態様としては、請求項１３、１４に記載の通りとなる。
【０００９】
前記第１の技術的課題を達成するために本発明（請求項４に係る発明）にあっては、
水路の底面上に、該水路の両側壁間に延びるようにして配置され、下面が平坦面に形成され、前記下面よりも上方部分が、延び方向一方側から他方側に向かうに従って、径方向外方に拡大するように設定されている魚道構成用越流型隔壁であって、
頂部から下方に向かうに従って幅方向外側に拡がる側面が、設置時の想定水位よりも高くなる部分を有する延び方向領域であって該想定水位よりも低い部分において、途中から、下面まで略垂直な面を形成するように設定されている構成としてある。この請求項４の好ましい態様としては、請求項５、１３、１４に記載の通りとなる。
【００１０】
前記第１の技術的課題を達成するために本発明（請求項６に係る発明）にあっては、
水路の底面上に、該水路の両側壁間に延びるようにして配置され、下面が平坦面に形成され、前記下面よりも上方部分が、延び方向一方側から他方側に向かうに従って、径方向外方に拡大するように設定されている魚道構成用越流型隔壁であって、
設置時に外部に露出する露出外周面に、複数の溝が形成されている構成としてある。この請求項６の好ましい態様としては、請求項７〜９、１３、１４に記載の通りとなる。
【００１１】
前記第１の技術的課題を達成するために本発明（請求項１０に係る発明）にあっては、
水路の底面上に、該水路の両側壁間に延びるようにして配置され、下面が平坦面に形成され、前記下面よりも上方部分が、延び方向一方側から他方側に向かうに従って、径方向外方に拡大するように設定されている魚道構成用越流型隔壁であって、
長尺な複数枚の板材を重ねて構成されている構成としてある。この請求項１０の好ましい態様としては、請求項１２〜１４に記載の通りとなる。
【００１２】
前記第２の技術的課題を達成するために本発明（請求項１５に係る発明）にあっては、
底壁部とその底壁部の幅方向両側に設けられる一対の側壁部とを有する魚道構成用ブロック内に、該一対の側壁部間において魚道構成用越流型隔壁が配置される魚道構成用ユニットにおいて、
前記魚道構成用越流型隔壁が前記請求項１２に係る魚道構成用越流型隔壁とされ、
前記各側壁部内面に、上下方向に延びるようにして案内溝が形成されている、
ことを特徴とする魚道構成用ユニットとした構成としてある。
【００１３】
前記第２の技術的課題を達成するために本発明（請求項１６に係る発明）にあっては、
底壁部とその底壁部の幅方向両側に設けられる一対の側壁部とを有する魚道構成用ブロック内に、該一対の側壁部間において魚道構成用越流型隔壁が配置される魚道構成用ユニットにおいて、
前記一対の側壁部間に、魚道構成用越流型隔壁として、前記請求項１〜１４のいずれかの魚道構成用越流型隔壁の複数が、直列状態をもって配置されている、
ことを特徴とする魚道構成用ユニットとした構成としてある。
【００１４】
前記第１の技術的課題を達成するために本発明（請求項１７に係る発明）にあっては、
水路の底面上に、該水路の両側壁間に延びるようにして配置され、下面が平坦面に形成され、前記下面よりも上方部分が、延び方向一方側から他方側に向かうに従って、径方向外方に拡大するように設定されている魚道構成用越流型隔壁であって、
頂部が、設置時の想定水位よりも高くなる部分を有する延び方向領域において、該想定水位よりも余裕高さの範囲内の高い位置で、高さを一定に維持しつつ円弧状に形成されている構成としてある。
【発明の効果】
【００１５】
請求項１に記載された発明によれば、外部形状に基づき本来の越流機能を担保できる一方、内部の空洞により、中実の魚道構成用越流型隔壁に比して使用材料量を減らすことができることになる。このため、極力少ない使用材料量をもって魚道構成用越流型隔壁を形成できることになる。しかも、当該魚道構成用越流型隔壁を、内部の空洞に基づき軽くできることになり、搬送性を向上させることができることになる。
【００１６】
請求項２に記載された発明によれば、空洞内に発泡樹脂が充填されていることから、軽さを確保しつつ中実として、取り扱い性等を容易にすることができることになる。
【００１７】
請求項３に記載された発明によれば、頂部が、設置時の想定水位よりも高くなる部分を有する延び方向領域において、該想定水位よりも余裕高さの範囲内の高い位置において略水平な面を形成していることから、本来の越流機能とは無関係の個所が削除されることになり、本来の越流機能を確保しつつ、使用材料量を少ない量に抑えることができることになる。
【００１８】
請求項４に記載された発明によれば、頂部から下方に向かうに従って幅方向外側に拡がる側面が、設置時の想定水位よりも高くなる部分を有する延び方向領域であって該想定水位よりも低い部分において、途中から、下面まで略垂直な面を形成するように設定されていることから、本来の越流機能とは無関係の個所が削除されることになり、本来の越流機能を確保しつつ、使用材料量を少ない量に抑えることができることになる。
【００１９】
請求項５に記載された発明によれば、前記請求項３と４の作用効果を同時に得ることができることになる。
【００２０】
請求項６に記載された発明によれば、設置時に外部に露出する露出外周面に、複数の溝が形成されていることから、その複数の溝をもって、中実の魚道構成用越流型隔壁に比して使用材料量を減らすことができることになる。このため、比較的少ない量をもって魚道構成用越流型隔壁を形成できることになる。しかも、複数の溝は、水の流れに対して案内機能を発揮することになり、複数の溝の向き、方向等を特定することにより、水の流れを調整できることになる。
【００２１】
請求項７に記載された発明によれば、複数の溝が、露出外周面において、周方向全長に亘って延ばされていることから、流れの態様として、当該魚道構成用越流型隔壁の周囲を回る傾向の強い流れを作って、その流れを魚に与えることができることになる。
【００２２】
請求項８に記載された発明によれば、複数の溝が、露出外周面に沿いつつ全体としての延び方向に延ばされていることから、当該魚道構成用越流型隔壁の周囲を回ろうとする流れに抵抗力を与えて流れの流速を落とすことができ、そのような流れを魚に与えることができることになる。
【００２３】
請求項９に記載された発明によれば、複数の溝が、少なくとも露出外周面の上流側において、全体としての延び方向に対して傾斜されていることから、流れの態様として、前記請求項７と８との中間的な流れを得て、その流れを魚に与えることができることになる。
【００２４】
請求項１０に記載された発明によれば、当該魚道構成用越流型隔壁が長尺な複数枚の板材を重ねて構成されていることから、板材の数を調整して実際の状況に応じた適切なものを提供できることになり、略ハーフコーン形状に基づく本来の越流機能を確保しつつ、極力使用材料量を抑えることができることになる。
【００２５】
請求項１１に記載された発明によれば、複数枚の板材のうち、最上段の板材は、その上面が上方に凸となる円弧状に形成されていると共に、その肉厚が延び方向一方側から他方側に向かうに従って厚くなるように設定され、複数枚の板材のうち、最上段の板材よりも下方側に配置される板材は、肉厚が一定とされていることから、２種類の板材を用意するだけで、種々の状況に対応できる魚道構成用越流型隔壁を提供できることになる。
【００２６】
請求項１２に記載された発明によれば、各板材に、その延び方向両端部において、水路の両側壁内面に上下方向に延びるようにして形成される案内溝に対して摺動可能に嵌合する突部が形成されていることから、水路両側壁内面における案内溝と協働して、各板材の積み重ねを的確に行うことができると共に、その積み重ね状態を流れに抗して保持できることになる。
【００２７】
請求項１３に記載された発明によれば、外部に露出する露出外周面が、耐摩耗性被覆層で形成されていることから、当該魚道構成用越流型隔壁が転石、砂礫等により摩耗することを抑制できることになる。
【００２８】
請求項１４に記載された発明によれば、外部に露出する露出外周面に、多数の硬質部材が該露出外面から突出する状態で保持されていることから、その多数の硬質部材に基づき、当該魚道構成用越流型隔壁を転石、砂礫等から保護できることになる。
【００２９】
請求項１５に記載された発明によれば、前記請求項１２と同様の作用効果を得ることができる魚道構成ユニットを提供できることになる。
【００３０】
請求項１６に記載された発明によれば、一対の側壁部間に、魚道構成用越流型隔壁として、請求項１〜１４のいずれかの魚道構成用越流型隔壁の複数が、直列状態をもって配置されていることに基づき、各請求項による作用効果だけでなく、その複数の魚道構成用越流型隔壁の組み合わせに基づき、種々の流れを形成できることになる。
【００３１】
請求項１７に記載された発明によれば、頂部が、設置時の想定水位よりも高くなる部分を有する延び方向領域において、該想定水位よりも余裕高さの範囲内の高い位置で、高さを一定に維持しつつ円弧状に形成していることから、本来の越流機能とは無関係の個所が削除されることになり、本来の越流機能を確保しつつ、使用材料量を少ない量に抑えることができることになる。
【発明を実施するための最良の形態】
【００３２】
以下、本発明の実施形態について図面に基づいて説明する。
第１実施形態を示す図１、図２において、符号１は魚道で、魚道１は、水路２内（底面７上）に越流型隔壁（以下、隔壁と称す）３を該水路２の延び方向（水の流れ方向：図２中、左右方向）に間隔をあけて配置する構成とされている。
【００３３】
前記水路２は、一定幅の下で１：１０〜１６程度の勾配をもって該水路２の延び方向に延びる底壁４と、その底壁４の幅方向両側から起立して該水路２の延び方向に延びる一対の側壁５とを有している。この水路２は、コンクリート製魚道構成用ブロック４１を複数連結することにより構成されており、この複数の魚道構成用ブロック４１により形成される水路２内を河川水が、各隔壁３の案内によって蛇行しながら、図２中、左側から右側へと流れることになっている。
【００３４】
前記各魚道構成用ブロック４１は、図２、図３に示すように、前記水路２における底壁４の一部を構成するための底壁部４２と、該水路２における左右一対の側壁５の一部を構成するための左右一対の側壁部４３とを有している。この魚道構成用ブロック４１の底壁部４２の底面８には、水の流入側端部４４ａ上面において、凹所４５ａが形成され、その流出側端部４４ｂ上面には凹所４５ｂが形成されている。この各凹所４５ａ（４５ｂ）は、一定の深さ（例えば１０ｃｍ前後）の下で、魚道構成用ブロック４１における河川水の流れ方向（図２中、左右方向）に一定幅（例えば１ｍ〜５ｍ程度）をもって、底壁部４２の幅方向全長に亘って形成されており、そのいずれの凹所４５ａ（４５ｂ）も、底壁部４２の上面からだけでなく端面からも外部に開放されている。この流入側端部４４ａにおける凹４５ａと流出側端部４４ｂにおける凹所４５ｂとは、河川水の流れ方向において、一定距離だけ離間されているが（本実施形態においては、１ｍ〜３ｍ程度）、この距離に関しては、長さを異ならせた魚道構成用ブロック４１を複数種類用意し、必要に応じて適宜選択できることになっている。
【００３５】
前記魚道構成用ブロック４１における左右一対の側壁部４３の内面には、図２，図３に示すように、側壁部４３における流入側端部６１ａ及び流出側端部６１ｂにおいて、凹所６２ａ，６２ｂが形成されている。この各凹所６２ａ（６２ｂ）は、前記底壁部４３における凹所４５ａ（４５ｂ）の配置位置に対応して、各側壁部４３に、その側壁部４３の上下方向全長に亘って形成されており、その凹所６２ａ（６２ｂ）の下部における幅（水の流れ方向における長さ）は、前記凹所４５ａ（４５ｂ）と等しくなっており、凹所６２ａ（６２ｂ）と凹所４５ａ（４５ｂ）とは、連続して連なることになっている。本実施形態においては、この凹所６２ａ（６２ｂ）は、その上部側における幅が下部側における幅よりも長くなっていて、この側壁部４３において、凹所６２ａ（６２ｂ）内面（底面）とその凹所６２ａ（６２ｂ）以外の側壁部４３内面との間の段差面６３は、上方に向かうに従って内方側に傾くことになっている。
【００３６】
前記魚道構成用ブロック４１における底壁部４２の流入側端部４４ａ、流出側端部４４ｂ、側壁部４３における流入側端部６１ａ、流出側端部６１ｂには、別の魚道構成用ブロック４１を該魚道構成用ブロック４１に連結可能とすべく、図３に示すように、連結ユニット４６が埋め込まれている（図３においては、流出側端部４４ｂ、６１ｂにおける連結ユニットは図示略）。各連結ユニット４６は、魚道構成用ブロック４１の流入側端部４４ａ（６１ａ）に設けられるものと、流出側端部４４ｂ（６１ｂ）に設けられるものとでは、対応した配置関係となっており、その各対応する連結ユニット４６同士が、隣り合うことになる魚道構成用ブロック４１同士を連結することになっている。
【００３７】
前記各連結ユニット４６は、図４、図５に示すように、連結箱４７と、その連結箱４７に収納される留め具４８とからなっている。連結箱４７は、小箱部４９と大箱部５０とを一体的に連結した構造とされており、その大箱部５０及び小箱部４９は、その下側が底板部５１により閉塞されている一方、その上側が外部に開口されている構造となっている。しかも、大箱部５０と小箱部４９との境には、小箱部４９の幅よりも拡張された隔壁部５３が設けられ、小箱部４９の端部には端壁部５４が設けられることになっている。その隔壁部５３には挿通孔５５、端壁部５４には挿通孔５６が形成され、それら挿通孔５５、５６は、対向した状態で配置されている。さらに、連結箱４７には、魚道構成用ブロック４１との係合により連結ユニット４６の移動を規制するための複数の鉄筋５９が設けられており、その各鉄筋５９は、連結箱４７にその連結箱４７を横切るように貫通されている。このような連結箱４７は、その上部開口５２が外部に開放されるようにした状態で、底壁部（凹所４５ａ，４５ｂの底面部内）４２、側壁部４３においてそれぞれ埋め込まれ、このとき、各連結箱４７における小箱部４９の端壁部５４は、水路構成用ブロックにおける底壁部４２の端面から外方に露出することになっている。このような連結箱４７の埋め込みは、魚道構成用ブロック４１を型において制作する際して、その型内にセットすることにより行われる。
【００３８】
前記留め具４８としては、本実施形態においては、長尺のねじ棒５７とナット５８とが用いられている。ねじ棒５７は、連結箱４７における大箱部５０内にその上部開口５２を介して収納でき、そのねじ棒５７を連結箱４７の挿通孔５５，５６に対して貫通させることができることになっている。ナット５８は、ねじ棒５７に対して螺合できることになっており、この螺合作業は、上部開口５２から大箱部５０内に工具又手を入れて行うことができることになっている。このため、この魚道構成用ブロック４１に対して別の魚道構成用ブロック４１を接続するには、その両魚道構成用ブロック４１の端面同士をつきあわせ、その状態において、一方の魚道構成用ブロック４１における大箱部５０内にねじ棒５７を収納し、そのねじ棒５７を、両魚道構成用ブロック４１における連結ユニット４６の挿通孔５５，５６に貫通させ、そのねじ棒５７の両端部にナット５８を、該各ナット５８が各隔壁部５３に当接するまで螺合する。勿論このような連結作業は、順次行われ、これにより、水路２が構成されることになる。
【００３９】
前記魚道構成用ブロック４１における流入側端部４４ａの凹所４５ａは、図７に示すように、該魚道構成用ブロック４１に別の魚道構成用ブロック４１が連結されたとき、その隣り合う別の魚道構成用ブロック４１における流出側端部４４ｂの凹所４５ｂと協働して隔壁下部用凹所６０を形成することになり、魚道構成用ブロック４１の流出側端部４４ｂにおける凹所４５ｂは、それに隣り合う別の魚道構成用ブロック４１における流入側端部４４ａの凹所４５ａと協働して隔壁下部用凹所６０を形成することになる。これに伴い、魚道構成用ブロック４１における流入側端部６１ａの凹所６２ａと、それに隣り合う別の魚道構成用ブロック４１における流出側端部６１ｂの凹所６２ｂとは、協働して隔壁端部用凹所６４を形成することになり、該魚道構成用ブロック４１における流出側端部６１ｂの凹所６２ｂと、それに隣り合う別の魚道構成用ブロック４１における流入側端部６１ａの凹所６２ａとは、協働して隔壁端部用凹所６４を形成することになる。
【００４０】
前記各隔壁３は、図２に示すように、前記複数の魚道構成用ブロック４１によって順次、形成される凹所６０内に配置されている。各隔壁３は、図６に示すように、略ハーフコーン形状（円錐形を半分にした形状）に形成されており、その内部は、下部が外部に開口する空洞９１とされて軽量化が図られている。本実施形態においては、この隔壁３の略ハーフコーン形状として、隔壁３の延び方向（図２中、上下方向）において、略半円柱部１１と略半円錐部１２とが連続的に形成される態様が採られており、その略ハーフコーン形状は、剛性部材からなる形状形成体８４と、その表面を覆う耐摩耗性被覆層６６とにより形成されている。耐摩耗性被覆層６６は、転石、砂礫等により隔壁３が摩耗することを抑制することを目的として設けられているものであり、この耐摩耗性被覆層６６としては、高強度モルタル、樹脂皮膜、金属素材、タイル、石材等が適宜、用いられる。
【００４１】
前記略半円柱部１１は、図７に示すように、その頂部１１ａの外縁が、略半円柱部１１の延び方向全体に亘って、設置時に河床面と同一高さとなる仮想面上の点Ｏ１を中心として半径Ｒ１（例えば魚が登りやすい最小半径、最小水位を確保する点等を考慮し、３００ｍｍ前後に設定）の円弧をもって形成され、その円弧状の頂部１１ａの幅方向（図３中、左右方向）一方側には一方側（上流側又は下流側）側面２７が連なり、その円弧状の上部１１ａの幅方向他方側には他方側（上流側又は下流側）側面２８が連なっている。一方側側面２７は、下方側に向かうに従って隔壁３の幅方向一方側外方（図７中、左側）に向かって傾斜され、他方側側面２８は、下方側に向かうに従って隔壁３の幅方向他方側外方（図７中、右側）に向かって傾斜されており、本実施形態においては、両側面２７，２８は対称に配置されている。このため、略半円柱部１１の下面９の幅方向長さＤ１はＲ１の２倍の長さよりも多少長く、例えばＤ１＝６００〜７２０ｍｍ前後とされている。このような略半円柱部１１は、一定高さＨ１（３００〜４００ｍｍ前後）に維持しつつ一定長さＢ１（３００〜５００ｍｍ前後：図２参照）だけ延びることになっており、その略半円柱部１１のうち、下面９から一定厚みＨ２（例えば１０ｃｍ前後）の部分が前記凹所６０内に収納されている。
【００４２】
前記略半円錐部１２は、隔壁３の延び方向において、該延び方向の一方側である略半円柱部１１側から遠のく側である他方側に向かうに従って徐々に、径方向外方に拡大するように設定されている。具体的には、略半円錐部１２は、その頂部１２ａが、略半円錐部１２の延び方向全体に亘って円弧状に形成されており、その円弧形状は、前記略半円柱部１１の半径Ｒ１と同じ半径をもって形成されている。円弧状の頂部１２aは、隔壁３の延び方向一方側から他方側に向かうに従って高さが高くなっており、その円弧状の頂部１２ａの幅方向（図７中、左右方向）一方側には一方側（上流側又は下流側）側面２９が連なり、その円弧状の頂部１２ａの幅方向他方側には他方側（上流側又は下流側）側面３０が連なっている。一方側側面２９は、下方側に向かうに従って隔壁３の幅方向一方側外方（図７中、左側）に向かって傾斜され、その一方側側面２９は、隔壁３の延び方向において、略円柱部１１から遠のくに従って隔壁３の幅方向一方側外方に多少拡がることになっている。同様に、他方側側面３０は、下方側に向かうに従って隔壁３の幅方向他方側外方（図７中、右側）に向かって傾斜され、その他方側側面３０は、隔壁３の延び方向一方側から他方側に向かうに従って該隔壁３の幅方向他方側外方に多少拡がることになっている。勿論、このような隔壁３は、隔壁３の延び方向において、略円柱部１１から遠のくに従って径方向外方に略全体的に円弧状に拡径されるものに比べてコンパクトとなり、技術的に有利となるが、隔壁３として、隔壁３の延び方向において、略円柱部１１から遠のくに従って径方向外方に略全体的に円弧状に拡径されるものを用いてもよいことは言うまでもない。
【００４３】
前記隣り合う魚道構成用ブロック４１が形成する凹所６０内の略全体には、図２、図７に示すように、モルタルが充填されてモルタル充填層６７（硬化物質層）が設けられている。このモルタル充填層６７は、凹所６０内面及び隔壁３下部内外面に対して接着していると共に、隔壁３における略半円柱部１１の側面下部１１ｂ及び略半円錐部１２の側面下部１２ｂを覆って、それら略半円柱部１１の側面下部１１ｂ及び略半円錐部１２の側面下部１２ｂと係合することになっている。これにより、モルタル充填層６７は、凹所６０内面及び隔壁３下部内外面に対する接着に基づき、隣り合う魚道構成用ブロック４１間の合わせ面６８に対する止水性を確保すると共に、隔壁３を底壁部４２に対して一体化することになり、略半円柱部１１の側面下部１１ｂ及び略半円錐部１２の側面下部１２ｂとの係合に基づき、隔壁３の上方への移動をも規制して、隔壁３と底壁部４２との一体化をさらに強固なものとすることになっている。勿論この場合、モルタル充填層６７の上面は、凹所６０以外の底壁部４２の底面と面一になるように形成されている。
【００４４】
尚、このようなモルタル充填層６７を形成するに際しては、合わせ面６８に対する止水性を確保するために最終的に隔壁３の内部空洞９１にもモルタル充填層６７を存在させる必要があることから、先ず、凹所６０内に未硬化状態のモルタルを充填し、その後、凹所６０内における未硬化状態のモルタル内に隔壁３の下部を押し込むのが好ましい。
【００４５】
さらに本実施形態においては、隔壁３の延び方向長さが前記一対の側壁部４３内面間の長さよりも若干、長く設定されて、前記凹所６０内に隔壁３を配置するに伴い、その延び方向端部が各側壁部４３の凹所６４内に入り込んでいる。この凹所６４内には、モルタルが充填されてモルタル充填層６９が形成されており、このモルタル充填層６９は、隣り合う魚道構成用ブロック４１の側壁部４３間の合わせ面６８に対して止水性を確保すると共に、隔壁３の延び方向端部を係合保持することになっている。勿論この場合、モルタル充填層６９の表面は、隔壁３の延び方向端部の存在域を除き、側壁部４３（側壁５）における他の内面と面一に形成されている。
【００４６】
このように隔壁３が水路２内に設置されて、図１，図２に示すように配置されると、隔壁３の傾斜面（頂部１２ａの傾斜（図３参照））に基づき、水は、越流しながら上流側から下流側に蛇行しながら流れることになる（水の流れを図２中、矢印で示す）。これに伴い、魚ｆは、魚の動きを示す符号ｆｓからも明らかなように、流れに抗して、下流側から上流側に登ることになる（図１参照）。このとき、隔壁３においては、延び方向において、その傾斜に基づき越流水の速度が異なり、泳力の弱い魚であっても、上流に向けて登ることができることになる。また、水路２においては、隔壁３により流れの影響を受けない淀み部（図２の流れを示す矢印を参照）が形成されており、その淀み部において魚ｆは休むことができることになる。
尚、この隔壁３の設置においては、略半円柱部１１の頂部１１ａから水面までの深さが２０ｃｍ程度に設定されることになっており、このため、隣り合う隔壁３間の間隔等が適宜調整される。
【００４７】
また、このような魚道構成用ブロック４１を用いることにより、隣り合うことになる魚道構成用ブロック４１との間で凹所６０を形成することになり、その凹所６０の存在を水路２内において視覚を通じて認識することができることになる。このため、隔壁３の配置位置を容易に把握できることになり、隔壁３が適正配置された魚道を形成できることになる。
【００４８】
さらに、モルタルを充填すべき個所が凹所６０であることから、モルタルを充填しやすくしてモルタル充填層６７を容易に形成できるばかりか、隔壁の側面下部が凹所６０内に入ることになり、モルタル充填層６７と隔壁３との係合関係を簡単に得ることができることになる。特に本実施形態においては、一方側側面２９が、下方側に向かうに従って隔壁３の幅方向一方側外方に向かって傾斜され、他方側側面３０が、下方側に向かうに従って隔壁３の幅方向他方側外方（図７中、左側）に向かって傾斜されており、これらとモルタル充填層６７との係合により、河川水の流れ方向（略水平方向）だけでなく、上方にも移動することが規制されることになる。
【００４９】
さらにまた、隣り合う魚道構成用ブロック４１間に、側壁部４３において凹所６４を形成してモルタルを充填し易くしていることから、その凹所６４内に一定厚のモルタル充填層６９を簡単に形成して、そのモルタル充填層６９をもって確実に、側壁部４３間の合わせ面６８から水が漏れることを防止できることになる。しかもこの場合、モルタル充填層６９は、凹所６４内の段差面６３と係合する一方で、隔壁３の延び方向端部とも係合することになり、その隔壁３の延び方向両端部は、水路２の側壁５に移動不能となるように強固に保持されることになる。
【００５０】
加えて、隔壁３が空洞９１を有するものとして形成されていることから、中実のものに比して材料量を減らすことができることになり、できるだけ少ない材料量をもって隔壁３を形成できることになる。しかも、隔壁３が空洞９１を有することから、隔壁３の軽量化を図ることができると共に、隔壁３の空洞９１内に別の隔壁３を入れた状態で重ねることができることになり、施工現場等への搬送性を向上させることができることになる。
【００５１】
図８は第２実施形態、図９〜図１１は第３実施形態、図１２〜図１４は第４実施形態、図１５〜図１７に示す第５実施形態、図１８〜図２０は第６実施形態、図２１、図２２は第７実施形態、図２３〜図２５は第８実施形態、図２６〜図２８は第９実施形態、図２９、図３０は第１０実施形態、図３１は第１１実施形態、図３２は第１２実施形態、図３３は第１３実施形態、図３４は第１４実施形態、図３５、図３６は第１５実施形態、図３７〜図３９は第１６実施形態を示す。この各実施形態において、前記第１実施形態と同一構成要素については同一付してその説明を省略する。
【００５２】
図８に示す第２実施形態は、第１実施形態に係る隔壁３の空洞９１に発泡樹脂としての発泡スチレン９２を充填したものを示す。この発泡スチレン９２の充填は、工場でも、施工現場でも、いずれの場所で行ってもよい。この発泡スチレン９２の存在により、隔壁３は、下面９を有して、その下面９が、隣り合う魚道構成用ブロック４１間の合わせ面６８を覆うことになり、モルタル充填層６７により、この隔壁３の下部周囲と凹所６０内面との間の止水性を確保するだけで、合わせ面６８に対する止水性も確保できることになる。
【００５３】
図９〜図１１に示す第３実施形態は、コンクリート等を用いて形成された中実の隔壁３を前提として、その略半円錐部１２の頂部１２ａを、延び方向他方側である該略半円錐部１２の最大径部１２ｃ側において省いて、平坦な上面１２ｄを形成したものを示す。この平坦な上面１２ｄは、当該隔壁３設置時における河川水の想定水位９３よりも高くなる部分において、余裕高さだけ高い位置に位置され、本来の機能を発揮する個所とは無関係の個所（越流しない個所）の材料を、できるだけ削減するようにされている。図９、図１１において、符号９４は、通常のハーフコーン形状の隔壁３の頂部１２ａから削除した部分を示す。尚、本実施形態においては、平坦な上面１２ｄと想定水位との差である余裕高さに関しては、図９に示すように、さほど差がつくように設定されていない。
【００５４】
図１２〜図１４に示す第４実施形態は、前記第３実施形態の変形例を示す。この第４実施形態においては、略半円錐部１２の側面下部を、延び方向他方側である略半円錐部１２の最大径部１２ｃ側において省いて、平坦で垂直な側面９５を形成したものを示す。この平坦で垂直な側面９５は、隔壁３設置時における河川水の想定水位９３よりも高くなる部分を有する延び方向領域であって該想定水位９３よりも低い部分に位置されており、略ハーフコーン形状の隔壁本来の機能に影響を与えない個所の材料が、省かれている。図１３、図１４において、符号９６は、通常のハーフコーン形状の隔壁３の側面下部から削除した部分を示す。
【００５５】
図１５〜図１７に示す第５実施形態は、前記第３実施形態及び前記第４実施形態の内容を取り込んだ内容を示す。すなわち、この第５実施形態においては、略半円錐部１２に、前記第３実施形態に係る平坦な上面１２ｄ、前記第４実施形態に係る平坦で垂直な側面９５が形成され、本来の略半円錐部１２から符号９４，９６の部分が削除されている。
【００５６】
図１８〜図２０に示す第６実施形態は、前記第５実施形態の変形例を示す。この第６実施形態においては、略半円錐部１２のうち、河川水の想定水位９３よりも高い部分が河川水をせき止める以外、機能しないことに着目し、その部分は、河川水の想定水位９３よりも余裕高さの範囲の高い位置において、高さが一定にされると共に、隔壁３の幅方向長さが一定厚みとされた厚板部９７に形成されている。勿論この厚板部９７の一定厚みは、強度上の要求を満足するものである。
【００５７】
図２１、図２２に示す第７実施形態は、河川水の流れ方向を調整すべく、略ハーフコーン形状の隔壁３の外周面（露出外周面：略半円柱部１１及び略半円錐部１２の各外周面）に複数の溝９８が形成されているものを示している。この各溝９８は、略半円柱部１１又は略半円錐部１２の周方向に延びるように形成され、その各溝９８は、隔壁３の延び方向に隣接した状態で順次、配置されることとなっている。この各溝９８の溝幅、深さは、魚の登りやすさ、流れの方向調整、整流調整等の各観点から適宜、決められるが、本実施形態においては、溝幅が３〜３０ｃｍ、深さが０．１ｃｍ〜３ｃｍ以下の範囲で設定されている。これにより、この第７実施形態に係る隔壁３においては、ハーフコーン形状の本来の隔壁３に比して、材料量を削減できると共に、河川水９３の流れを各溝９８により隔壁３の周方向に案内（整流）して、隔壁３の周方向に向く傾向の強い河川水の流れを隔壁３上で魚に与えることができることになる。
【００５８】
図２３〜図２５に示す第８実施形態は、前記第７実施形態の変形例を示す。この第８実施形態においては、隔壁３における外周面の上流側（図２３に表示する面）では、各溝９８が、下側よりも上側が略半円柱部１１側に傾き、下流側側面においては、各溝９８の方向が反転することになっている（図２４参照）。これにより、複数の溝９８により隔壁３の材料量を削減できることは勿論、略半円柱部１１と略半円錐部１２とにより形成される蛇行流を、さらにその蛇行流と同じ方向に複数の溝９８により案内できることになる。このため、蛇行流の傾向が強い流れを、隔壁３上で魚に与えることができることになる。
【００５９】
図２６〜図２８に示す第９実施形態は、前記第７、第８実施形態の変形例を示す。この第９実施形態においては、各溝９８が、隔壁３の表面にその隔壁３の延び方向に延びるように形成されている。これにより、複数の溝９８により隔壁３の材料量を削減できることは勿論、河川水の流れの勢いを抑制できることになる。このため、速度を落とした越流水を魚に与えることができることになる。
【００６０】
図２９、図３０に示す第１０実施形態においては、隔壁３の表面部に硬質部材としての自然石９９が多数埋め込まれている。この多数の自然石９９をもって転石等を受け止めることにより隔壁３が保護されることになる。
【００６１】
図３１に示す第１１実施形態は、魚道構成用ブロック４１内に２つの隔壁３を直列に配置した魚道構成用ユニットを示している。この２つの隔壁３は、その互いの略半円柱部１１を当接したものとなっており、このような配置と各隔壁３の形状とに基づく河川水の流れを作ることができることになる。勿論、この各隔壁３には、前記各実施形態に係るものを利用することができ、その各作用効果を得ることができることになる（以下、後述の第１２実施形態〜第１４実施形態においても同じ）。
【００６２】
図３２に示す第１２実施形態は、前記第１１実施形態の変形例を示す。この第１２実施形態においては、２つの隔壁３が、その互いの略半円錐部１２の端面同士を当接する配置関係となっている。
【００６３】
図３３に示す第１３実施形態は、前記第１１、第１２実施形態の変形例を示す。この第１３実施形態においては、魚道構成用ブロック４１内で、一方の隔壁３における略半円錐部１２の端面に他方の隔壁３における略半円柱部１１を当接する配置関係となっている。
【００６４】
図３４に示す第１４実施形態は、前記第１１実施形態と前記第１２実施形態とを組み合わせたものを示す。この第１４実施形態においては、魚道構成用ブロック４１内で、第１〜第３の隔壁３が直列に順次、配置されている。第１隔壁３と第２隔壁３とは、その互いの略半円錐部１２の端面同士が当接される関係となっており、第２隔壁３と第３隔壁３とは、その互いの略半円柱部１１の端面同士が当接される関係となっている。
【００６５】
図３５、図３６に示す第１５実施形態は、隔壁３を、複数の長尺な板材１００を重ねて構成したものを示している。すなわち、最上段の板材１００ａを除き、各板材１００は一定厚みの平板として形成されており、その幅は、その延び方向一方側から他方側に向かうに従って拡がると共に、上方段に積み重ねるものほど、徐々に狭くなっている。最上段の板材１００ａは、その肉厚がそのの延び方向一方側から他方側に向かうに従って厚くされ、その上面は、上に凸となるように円弧状に丸められている。このため、この最上段の板材１００ａを、その他の板材１００の上に重ねることにより、前述の各実施形態で示したハーフコーン形状に近い形状を得ることができることになる。本実施形態においては、各板材１００における延び方向両端部に突部１０１が形成されており、その両突部１０１を、魚道構成用ブロック４１の各側壁部４３内面に上下方向に延びるようにして形成される案内溝１０２内に落とし込むことにより、板材１００は、順次、積み重なると共に、その状態が保持されることになる。この結果、図３５に示すように、魚道構成用ブロック４１内に、板材１００を積み重ねて形成された隔壁３を有する魚道構成用ユニットが得られることになる。この場合、板材１００としては、コンクリート板、板状の木材等を適宜、用いることができる。
したがって、この第１５実施形態においては、河川水の水位に応じて、板材１００の積み重ね枚数を調整して簡単に高さを所望のものにできると共に、隔壁３の材料量を使用状態に応じた適切なものとできることになる。
尚、本実施形態においては、最上段の板材１００ａ以外の板材の厚みを一定としたが、種々の厚みのものを用意して、少ない板材の数で、高さ調整を容易にしてもよい。
【００６６】
図３７〜図３９に示す第１６実施形態は、当該隔壁３設置時における河川水の想定水位９３よりも高くなる部分を有する延び方向領域（図３７、図３８において左側部分）において、頂部１２ａが、想定水位９３よりも余裕高さの範囲内の高い位置で、高さを一定に維持しつつ円弧状に形成されている。しかも本実施形態にあっては、頂部１２ａの高さが一定とされている部分において、隔壁３の幅方向の長さも一定にされている（図３８参照）。図３７〜図３９において、符号１０５は、削除された部分を示す。本実施形態においては、コンクリート製の中実のものを対象としているが、内部が空洞になるように成形してもよい。
【００６７】
以上実施形態について説明したが本発明にあっては次のような態様を包含する。
（１）魚道構成用ブロック４１の底壁部４２にだけ凹所４５（６０）を設け、側壁部４３には凹所６２（６４）を設けないこと。
（２）第２〜第９実施形態において、魚道構成用ブロック４１に対する隔壁３の取付け構造として、凹所６０とモルタル充填層６７とを用いる場合に限らず、魚道構成用ブロック４１と共に隔壁３を一体成形するもの、凹所６０等を形成せずに通常の固定方法により隔壁３を魚道構成用ブロック４１に固定するものを含むこと。
（３）第８，第９実施形態の態様を、第１実施形態の底壁部４２、さらには、底壁と左右一対の側壁とを有する一般的な水路に適用すること。
（４）各実施形態に係る隔壁３を軸心方向に複数に分割した構成とし、使用時に、それらを一体化して使用すること。
（５）下面よりも上方部分が、延び方向一方側から他方側に向かうに従って径方向外方に拡大する一般的な隔壁３の外周面に耐摩耗性被覆層を設けたり、自然石等の硬質部材を突出させた状態で保持すること。
【００６８】
尚、本発明の目的は、明記されたものに限らず、実質的に好ましい或いは利点として載されたものに対応したものを提供することをも含むものである。
【図面の簡単な説明】
【００６９】
【図１】第１実施形態に係る魚道を示す説明図。
【図２】第１実施形態に係る魚道を示す平面図。
【図３】第１実施形態に係る魚道構成用ブロックを示す斜視図。
【図４】第１実施形態に係る連結ユニット付近を示す一部拡大平面図。
【図５】図４の５Ｂ−５Ｂ断面図。
【図６】第１実施形態に係る隔壁を示す斜視図。
【図７】第１実施形態に係る隔壁が魚道構成用ブロックに取付けられた状態を示す断面図。
【図８】第２実施形態に係る隔壁を、略半円錐部の端面側から見た図。
【図９】第３実施形態に係る隔壁を示す正面図。
【図１０】図９の平面図。
【図１１】図９の右側面図。
【図１２】第４実施形態に係る隔壁を示す正面図。
【図１３】図１２の平面図。
【図１４】図１２の右側面図。
【図１５】第５実施形態に係る隔壁を示す正面図。
【図１６】図１５の平面図。
【図１７】図１５の右側面図。
【図１８】第６実施形態に係る隔壁を示す正面図。
【図１９】図１８の平面図。
【図２０】図１８の右側面図。
【図２１】第７実施形態に係る隔壁を示す正面図。
【図２２】図２１の２２Ｂ−２２Ｂ線断面図。
【図２３】第８実施形態に係る隔壁を示す正面図。
【図２４】図２３の平面図。
【図２５】図２３の２５Ｃ−２５Ｃ線断面図。
【図２６】第９実施形態に係る隔壁を示す正面図。
【図２７】図２６の平面図。
【図２８】図２６の２８Ｃ−２８Ｃ線断面図。
【図２９】第１０実施形態に係る隔壁を示す正面図。
【図３０】図２９の３０Ｂ−３０Ｂ線断面図。
【図３１】第１１実施形態を説明する説明図。
【図３２】第１２実施形態を説明する説明図。
【図３３】第１３実施形態を説明する説明図。
【図３４】第１４実施形態を説明する説明図。
【図３５】第１５実施形態を説明する斜視図。
【図３６】第１５実施形態を説明する説明図。
【図３７】第１６実施形態に係る隔壁を示す正面図。
【図３８】図３７の平面図。
【図３９】図３７の右側面図。
【符号の説明】
【００７０】
１  魚道
２  水路
３  越流型隔壁
４  底壁
５  水路の側壁
７  底面
１２  略半円錐部
１２ｄ  平坦な上面
４１  魚道構成用ブロック
４２  底壁部
４３  側壁部
９１  空洞
９２  発泡スチレン
９３  河川水の想定水位
９５  平坦で垂直な側面
９８  溝
９９  自然石（硬質部材）
１００  板材
１００ａ  最上段の板材
１０１  突部
１０２  案内溝
【図１】
2005290788.tif 000003
【図２】
2005290788.tif 000004
【図３】
2005290788.tif 000005
【図４】
2005290788.tif 000006
【図５】
2005290788.tif 000007
【図６】
2005290788.tif 000008
【図７】
2005290788.tif 000009
【図８】
2005290788.tif 000010
【図９】
2005290788.tif 000011
【図１０】
2005290788.tif 000012
【図１１】
2005290788.tif 000013
【図１２】
2005290788.tif 000014
【図１３】
2005290788.tif 000015
【図１４】
2005290788.tif 000016
【図１５】
2005290788.tif 000017
【図１６】
2005290788.tif 000018
【図１７】
2005290788.tif 000019
【図１８】
2005290788.tif 000020
【図１９】
2005290788.tif 000021
【図２０】
2005290788.tif 000022
【図２１】
2005290788.tif 000023
【図２２】
2005290788.tif 000024
【図２３】
2005290788.tif 000025
【図２４】
2005290788.tif 000026
【図２５】
2005290788.tif 000027
【図２６】
2005290788.tif 000028
【図２７】
2005290788.tif 000029
【図２８】
2005290788.tif 000030
【図２９】
2005290788.tif 000031
【図３０】
2005290788.tif 000032
【図３１】
2005290788.tif 000033
【図３２】
2005290788.tif 000034
【図３３】
2005290788.tif 000035
【図３４】
2005290788.tif 000036
【図３５】
2005290788.tif 000037
【図３６】
2005290788.tif 000038
【図３７】
2005290788.tif 000039
【図３８】
2005290788.tif 000040
【図３９】
2005290788.tif 000041